(57)【特許請求の範囲】
【請求項１】
光ファイバージョイントであって、
光ケーブルと、
内部に空洞を有する内側スリーブ部材であって、前記光ケーブルの外に延在する光ファイバーは、前記空洞内に保持され、前記内側スリーブ部材の一端部は、挿入コアに固定され、かつスリーブが他端部に配置される、内側スリーブ部材と、
外側スリーブ部材であって、前記外側スリーブ部材は、前記内側スリーブ部材の外側にスリーブ付けされ、かつ前記外側スリーブ部材は、前記スリーブの周りに軸回りに回転可能である、外側スリーブ部材と、
を備え、
前記内側スリーブ部材の前記スリーブは、前記外側スリーブ部材の外に少なくとも部分的に突出し、かつ前記スリーブの尾端部がＣ形状断面を形成するように、前記外側スリーブ部材の外に突出する前記スリーブの前記尾端部は開口部を有し、
前記挿入コア、接続部品、および弾性部品が前記光ケーブルの上に順次スリーブ付され、前記弾性部品は、前記接続部品の端部および前記外側スリーブ部材の端部の間で締め付けられ、
制限柱部が前記挿入コアに配置され、左および右制限ステージが前記外側スリーブ部材に設けられ、前記制限柱部は、前記左制限ステージによって制限されてさらに回転することができず、かつ前記制限柱部は、前記右制限ステージによって制限されてさらに回転することができない、光ファイバージョイント。
【請求項２】
前記スリーブの前記Ｃ形状尾端部は、前記光ファイバージョイントに適合する光ファイバーアダプタのＣ形状スロットに接続するよう構成されている、請求項１に記載の光ファイバージョイント。
【請求項３】
前記スリーブの前記開口部は、前記光ファイバージョイントに適合する光ファイバーアダプタの位置決めキーに接続するよう構成される、請求項１または２に記載の光ファイバージョイント。
【請求項４】
前記スリーブは、前記光ファイバージョイントに適合する光ファイバーアダプタのスロットに接続するよう構成され、前記スリーブの前記尾端部における前記Ｃ形状断面が、前記光ファイバーアダプタの前記スロットのＣ形状断面に適合する、請求項１〜３のいずれか一項に記載の光ファイバージョイント。
【請求項５】
前記スリーブの前記開口部は、ホーン形状である、請求項１〜４のいずれか一項に記載の光ファイバージョイント。
【請求項６】
前記スリーブの前記ホーン形状開口部の開口角度は、１０度以上、かつ３０度以下である、請求項５に記載の光ファイバージョイント。
【請求項７】
前記スリーブの前記ホーン形状開口部の前記開口角度は、１５度、または２２．５度である、請求項６に記載の光ファイバージョイント。
【請求項８】
前記挿入コアは、前記光ケーブルの上にスリーブ付され、前記接続部品は、前記挿入コアの端部にスリーブ付されている、請求項１〜７のいずれか一項に記載の光ファイバージョイント。
【請求項９】
光ファイバージョイントおよび光ファイバーアダプタを備える光ファイバーコネクタであって、
前記光ファイバージョイントは、
光ケーブルと、
内部に空洞を有する内側スリーブ部材であって、前記光ケーブルの外に延在する光ファイバーが前記空洞内に保持され、前記内側スリーブ部材の一端部が挿入コアに固定され、かつスリーブが他端部に配置される、内側スリーブ部材と、
外側スリーブ部材であって、前記外側スリーブ部材が前記内側スリーブ部材の外側にスリーブ付けされ、かつ前記外側スリーブ部材は、前記スリーブの周りに軸回りに回転可能である、外側スリーブ部材と、
を備え、
前記内側スリーブ部材の前記スリーブは、前記外側スリーブ部材の外に少なくとも部分的に突出し、前記スリーブの尾端部がＣ形状断面を形成するように、前記外側スリーブ部材の外に突出する前記スリーブの前記尾端部は開口部を有し、Ｃ形状開口部を有する前記スリーブは、前記光ファイバーアダプタのＣ形状スロットに接続し、前記挿入コア、接続部品、および弾性部品が順次前記光ケーブルの上にスリーブ付され、前記弾性部品は、前記接続部品の端部および前記外側スリーブ部材の端部の間で締め付けられ、かつ
ソケットが前記光ファイバーアダプタの一端部に配置され、光ファイバーを受容するよう構成された空洞と、スロットとは、前記ソケット内に配置され、前記空洞は、前記ソケットの中部に位置し、かつ前記スロットは、前記空洞の周りを囲み、および前記スロットがＣ形状断面を形成するように、位置決めキーが前記ソケット内に配置され、
制限柱部が前記挿入コアに配置され、左および右制限ステージが前記外側スリーブ部材に設けられ、前記制限柱部は、前記左制限ステージによって制限されてさらに回転することができず、かつ前記制限柱部は、前記右制限ステージによって制限されてさらに回転することができない、光ファイバーコネクタ。
【請求項１０】
前記光ファイバージョイントの前記外側スリーブ部材の内壁は、少なくとも１つの突起を有する、請求項９に記載の光ファイバーコネクタ。
【請求項１１】
少なくとも１つの摺動スロットが前記光ファイバーアダプタの前記ソケットの外面に配置される、請求項９に記載の光ファイバーコネクタ。
【請求項１２】
前記光ファイバージョイントが前記光ファイバーアダプタに挿入され、かつ前記突起が前記摺動スロットに接続される、請求項１０または１１に記載の光ファイバーコネクタ。
【請求項１３】
前記挿入コアは、前記光ケーブルの上にスリーブ付され、前記接続部品は、前記挿入コアの端部にスリーブ付されている、請求項９〜１１のいずれか一項に記載の光ファイバーコネクタ。
【発明の詳細な説明】
【技術分野】
【０００１】
本発明は、データ通信機器の分野、特に光ファイバージョイント、光ファイバーアダプタ、および光ファイバーコネクタに関する。
【背景技術】
【０００２】
光ファイバー通信システムにおいて、光ファイバーコネクタは、光ケーブル間、光ケーブルおよび光−電気部品の間、および光−電気部品間の接続のために構成されている。送信光ファイバーによって出力された光学的エネルギーが受信光ファイバーに最大限に連結することができるように、光ファイバーコネクタは、接続される必要がある２つの光ファイバーの端面を正確に相互接続する。
【０００３】
家庭までの光ファイバー（Fiber To The Home, FTTH）ネットワークの引込みケーブルの配置の間、融着接続技術が一般的に使用される。つまり、光ファイバー端子がファイバー分配布箱に割り当てられ、ファイバー分箱内で光ファイバー融着接続器を用いて光ファイバー端子および引込み光ケーブルが接続され、かつ引込み光ケーブルは、各家に敷設される。引込み光ケーブルが各家の使用者のターミナルボックスに接続されるように、引込み光ケーブルの他端部では、現場での融着接続がまた要求される。前述の融着接続技術は、専用の光ファイバー融着接続装置が必要であり、作業者には高い技術的な要求が求められる。さらに、作業工程は、面倒かつ不便である。
【発明の概要】
【課題を解決するための手段】
【０００４】
これを考慮し、本発明の実施形態は、プラグ・アンド・プレイであり、かつ現場での融着接続が面倒であるという従来技術における課題を解決する光ファイバージョイント、光ファイバーアダプタ、および光ファイバーコネクタを提供する。 
【０００５】
第１態様によると、本発明の実施形態は、光ファイバージョイント（１００）を提供し、該光ファイバージョイントは、光ケーブル（１１０）と、内部に空洞を有する内側スリーブ部材（１４０）であって、光ケーブル（１１０）の外に延在する光ファイバーは、空洞内に保持され、内側スリーブ部材（１４０）の一端部は、光ケーブル（１１０）において固定され、かつスリーブ（１８０）が他端部に配置される、内側スリーブ部材と、外側スリーブ部材（１３０）であって、外側スリーブ部材（１４０）は、内側スリーブ部材（１４０）の外側にスリーブがつけられ、かつ外側スリーブ部材（１４０）は、スリーブ（１８０）の周りに軸回りに回転可能である、外側スリーブ部材と、を含み、内側スリーブ部材（１４０）のスリーブ（１８０）は、外側スリーブ部材（１３０）の外に少なくとも部分的に突出し、かつ外側スリーブ部材（１３０）の外に突出するスリーブ（１８０）の尾端部は、開口部を有し、スリーブ（１８０）の尾端部がＣ形状断面を形成する。
【０００６】
第１態様の第１の可能な実施方法においては、スリーブ（１８０）のＣ形状尾端部が光ファイバージョイント（１００）に適合する光ファイバーアダプタ（２００）のＣ形状スロット（２０１２）に接続するよう構成される。
【０００７】
第１態様の第２の可能な実施方法においては、スリーブ（１８０）の開口部は、光ファイバージョイント（１００）に適合する光ファイバーアダプタ（２００）の位置決めキー（２０１４）に接続するよう構成される。
【０００８】
第１態様の第３の可能な実施方法においては、スリーブ（１８０）は、光ファイバージョイント（１００）に適合する光ファイバーアダプタ（２００）のスロット（２０１２）に接続するよう構成され、スリーブ（１８０）の尾端部におけるＣ形状断面は、光ファイバーアダプタ（２００）のスロット（２０１２）のＣ形状断面に適合する。
【０００９】
第１態様の第４の可能な実施方法においては、スリーブ（１８０）の開口部は、ホーン形状である。
【００１０】
第１態様の第５の可能な実施方法においては、スリーブ（１８０）のホーン形状開口部の開口角度は、１０度以上、かつ３０度以下である。
【００１１】
第１態様の第６の可能な実施方法においては、スリーブ（１８０）のホーン形状開口部の開口角度は、１５度、または２２．５度である。
【００１２】
第２態様によると、光ファイバーアダプタ（２００）が提供される。ソケット（２０１）が光ファイバーアダプタ（２００）の一端部に配置され、光ファイバーを保持するよう構成された空洞（２０１１）およびスロット（２０１２）がソケット（２０１）内に配置され、空洞（２０１１）は、ソケット（２０１）の中部に位置し、かつスロット（２０１２）は、空洞（２０１１）の周りを囲み、および位置決めキー（２０１４）がソケット（２０１）内に配置されて、スロット（２０１２）がＣ形状断面を形成する。
【００１３】
第２態様の第１の可能な実施方法においては、Ｃ形状断面を有するスロット（２０１２）は、光ファイバーアダプタ（２００）に適合する光ファイバージョイント（１００）のスリーブのＣ形状尾端部を保持するように構成される。
【００１４】
第２態様の第２の可能な実施方法においては、位置決めキー（２０１４）は、光ファイバーアダプタ（２００）に適合する光ファイバージョイント（１００）のスリーブの開口部に接続するよう構成される。
【００１５】
第２態様の第３の可能な実施方法においては、位置決めキー（２０１４）の幅は、光ファイバージョイント（１００）の開口部の幅に等しい。
【００１６】
第３態様によると、光ファイバージョイント（１００）および光ファイバーアダプタ（２００）を含む光ファイバーコネクタ（１０）が提供される。光ファイバージョイント（１００）は、光ケーブル（１１０）と、内部に空洞を有する内側スリーブ部材（１４０）であって、光ケーブル（１１０）の外に延在する光ファイバーが空洞内に保持され、内側スリーブ部材（１４０）の一端部が光ケーブル（１１０）に固定され、かつスリーブ（１８０）が他端部に配置される、内側スリーブ部材（１４０）と、外側スリーブ部材（１３０）であって、外側スリーブ部材（１３０）が内側スリーブ部材（１４０）の外側にスリーブがつけられ、かつ外側スリーブ部材（１４０）は、スリーブの周りに軸回りに回転可能である、外側スリーブ部材（１３０）と、を含み、内側スリーブ部材（１４０）のスリーブは、外側スリーブ部材（１３０）の外に少なくとも部分的に突出し、スリーブの尾端部がＣ形状断面を形成するように、外側スリーブ部材（１３０）の外に突出するスリーブの尾端部は、開口部を有する。
【００１７】
ソケット（２０１）が光ファイバーアダプタ（２００）の一端部に配置され、光ファイバーを収容するよう構成された空洞（２０１１）と、スロット（２０１２）とは、ソケット（２０１）内に配置され、空洞（２０１１）は、ソケット（２０１）の中部に位置し、かつスロット（２０１２）は、空洞（２０１１）の周りを囲み、および位置決めキー（２０１４）は、ソケット（２０１）内に配置されて、スロット（２０１２）がＣ形状断面を形成する。
【００１８】
第３態様の第１の可能な実施方法においては、光ファイバージョイント（１００）の外側スリーブ部材（１３０）の内壁は、少なくとも１つの突起（１３０４）を有する。
【００１９】
第３態様の第２の可能な実施方法においては、少なくとも１つの摺動スロット（２０１５）が光ファイバーアダプタ（２００）のソケット（２０１）の外面に配置される。
【００２０】
第３態様の第３の可能な実施方法においては、光ファイバージョイント（１００）が光ファイバーアダプタ（２００）に挿入され、かつ突起（１３０４）が摺動スロット（２０１５）に接続される。
【００２１】
前述の技術的な解決策に基づくと、本発明の実施形態によって提供された光ファイバーコネクタは、光ファイバージョイントのＣ形状開口部を有するスリーブを用いて光ファイバーアダプタのＣ形状スロットにシームレスに接続される。このように、光ファイバージョイントのブラインド挿入が実行され、かつ操作がより簡単になり、それにより光ファイバーコネクタのプラグ・アンド・プレイが実行される。
【００２２】
本発明の実施形態における技術的な解決策をより明りょうに示すために、実施形態または従来技術を説明するために必要な添付図面を以下に簡単に説明する。明らかに、以下の説明の添付図面は、本発明のいくつかの実施形態を示しているだけであり、当業者は、なおもこれらの添付図面から他の図面を抽出することができるだろう。
【図面の簡単な説明】
【００２３】
【図１】本発明の実施形態による適用される通信ネットワークの構造である。
【図２ａ】本発明の実施形態による光ファイバーコネクタの概略構造図である。
【図２ｂ】本発明の実施形態による光ファイバーコネクタの概略構造図である。
【図３ａ】本発明の実施形態による光ファイバージョイントの概略構造図である。
【図３ｂ】本発明の実施形態による光ファイバージョイントの分解図である。
【図３ｃ】本発明の実施形態による光ファイバージョイントの組立図である。
【図４ａ】本発明の実施形態による外側スリーブ部材の前面図である。
【図４ｂ】本発明の他の実施形態による外側スリーブ部材の前面図である。
【図５ａ】本発明の実施形態による光ファイバーアダプタの概略構造図である。
【図５ｂ】本発明の実施形態による光ファイバーアダプタの分解図である。
【図６】本発明の実施形態による光ファイバージョイントのスリーブの開口角度の概略図である。
【発明を実施するための形態】
【００２４】
理解を簡単にするために、本発明の実施形態の添付図面を参照して、以下に本発明の実施形態における技術的な解決策を明りょうに示す。明らかに、記載の実施形態は、本発明の全ての実施形態ではなく、一部である。創意工夫無く本発明の実施形態に基づいて当業者によって得られる他の全ての実施形態は、本発明の保護範囲内である。
【００２５】
図1は、ＦＴＴｘ光ネットワークの一部を示し、ＦＴＴｘは、ＦＴＴＨ（Fiber To The Home, ファイバトゥザホーム)、またはＦＴＴＣ(Fiber To The Curb, ファイバトゥザカーブ)、またはＦＴＴＰ(Fiber To The Premises,ファイバトゥザプレミセス)、またはＦＴＴＮ(Fiber To The Node または Neighborhood, ファイバトゥザノード)、またはＦＴＴＯ(fiber To The Office,ファイバトゥザオフィス)、またはＦＴＴＳＡ(Fiber To The Service area, ファイバトゥザサービスエリア)とすることができる。例としてＦＴＴＨネットワークを用いると、中央オフィス（Center Office，CO）の下流から見て、ＦＴＴＨは、供給リンク１、第１の１：Ｎスプリッター２、分配リンク３、第２の１：Ｎスプリッター４、および少なくとも１つの分岐リンク５を含む。本発明において、屋外環境に適用できる光ファイバーコネクタは、分岐リンク５に適用することができる。本発明は、例としてＦＴＴｘタイプのネットワーク構造を使用しているが、他のネットワーク構造も使用することができる。
【００２６】
図２ａは、本発明の光ファイバーコネクタ１０を示す。図２ａに示すように、光ファイバーコネクタは、光ファイバージョイント１００と、光ファイバージョイント３００と、光ファイバーアダプタ２００とを含む。光ファイバージョイント１００は、光ファイバーアダプタ２００を用いて光ファイバージョイント３００に接続され、内部の光ファイバーの相互接続を実現する。
【００２７】
図２ｂは、光ファイバージョイント１００の概略図である。図２ｂに示すように、外部構造から見て、光ファイバージョイント１００は、光ファイバー１１０と、内側スリーブ部材１４０と、外側スリーブ部材１３０とを含む。内側スリーブ部材１４０は、内部に空洞を有し、光ケーブル１１０の外に延在する光ファイバーを空洞内に保持し、内側スリーブ部材１４０の一端部は、光ケーブル１１０に固定され、およびスリーブ１８０が他端部に配置される。外側スリーブ部材１３０は、内側スリーブ部材１４０の外側にスリーブがつけられ、かつ外側スリーブ部材１３０は、スリーブ１８０の周囲で軸回りに回転可能である。内側スリーブ部材１４０のスリーブ１８０は、外側スリーブ部材１３０の外に少なくとも部分的に突出し、かつスリーブ１８０の尾端部がＣ形状断面を形成するように、外側スリーブ部材１３０の外に突出するスリーブ１８０の尾端部は開口部を有する。Ｃ形状開口部を有するスリーブは、光ファイバーアダプタのＣ形状スロットにシームレスに接続される。このようにして、光ファイバージョイントのブラインド挿入が実行され、かつ操作がより簡単に、それにより光ファイバーコネクタのプラグ・アンド・プレイが実現する。
【００２８】
スリーブ１８０は、円筒スリーブ、または楕円スリーブ、または別の形のスリーブとすることができる。本発明の実施形態は、例として円筒スリーブ１８０を使用する。スリーブ１８０の軸方向と逆から見ると、スリーブ１８０のＣ形状開口部は、開口部を有する円または楕円である。
【００２９】
さらに図５ａに示すように、スリーブ１８０のＣ形状尾端部は、光ファイバージョイント１００に適合する光ファイバーアダプタ２００のＣ形状スロット２０１２に接続するように構成される。スリーブ１８０の開口部は、光ファイバージョイント１００に適合する光ファイバーアダプタ２００の位置決めキー２０１４に接続するように構成される。スリーブは、光ファイバージョイント１００に適合する光ファイバーアダプタ２００のスロット２０１２に接続するように構成され、スリーブの尾端部におけるＣ形状断面は、光ファイバーアダプタ２００のスロット２０１２のＣ形状断面に適合する。
【００３０】
さらに、スリーブ１８０の開口部は、ホーン形状である。スリーブ１８０のホーン形状開口部の開口角度は、１０度以上、かつ３０度以下である。スリーブ１８０のホーン形状開口部の開口角度は、１５度、または２２．５度である。
【００３１】
さらに、外側スリーブ部材１３０は、ステップ形状円形チューブ構造であり、その内面は、２つの突出ロック点１３０４（図３ａには図示せず、１３０４は図４および図５を参照）を有する。光ファイバーアダプタ２００に接続される場合、ロック点１３０４は、アダプタ部品２１０の第２摺動スロット２０１５（図３ａには図示せず、２０１５は図５ａを参照）に固定され、それによりロッキング接続が実現する。外側スリーブ部材１３０の外側前端部は、コネクタの接続および切断状態を示すための矢印の位置合わせ識別部を有し、および外側スリーブ部材１３０の後端部は、対称な切断面を有し、かつ操作感覚を強化するように、平面内には垂直の浅い溝がある。
【００３２】
図３ａに示すように、光ファイバージョイント１００は、末端フェルール１２０と、挿入コア１５０と、ロープ１６０と、ジョイント防塵キャップ１７０とをさらに含む。
【００３３】
対称な第２摺動スロット１７０４がジョイント防塵キャップ１７０の外面に配置され、かつジョイント防塵キャップ１７０には、Ｏ形状シールリング１７２が装備されている。ジョイント防塵キャップ１７０は、ロープ１６０を用いて光ファイバージョイント１００の本体につながれている。
【００３４】
図３ｂは、光ファイバージョイントの分解図であり、および図３ｃは、光ファイバージョイントの組立図である。図３ｂおよび図３ｃに明らかなように、内部構造の視点から図３ｂを参照すると、光ファイバージョイント１００は、フェルール１２２、スナップリング１２６、Ｏ形状シールリング１３２、Ｏ形状シールリング１３６、Ｏ形状シールリング１７２、弾性部品１３４、および接続部品１３８を含む。図３ａおよび図３ｂを参照すると、本発明のこの実施形態においては、挿入コア１５０、接続部品１３８、弾性部品１３４、および外側スリーブ部材１３０が順次光ケーブル１１０の上にスリーブ付されている。
【００３５】
図３ｃを参照すると、挿入コア１５０は、光ケーブル１１０の上にスリーブ付されている。この実施方法においては、挿入コア１５０は、複数のステップを有する円筒体である。光ケーブル１１０は、挿入コア１５０を貫通する。挿入コア１５０は、対向して配置された２つの端部１５０ａおよび１５０ｂを含み、および光ケーブル１１０は、接続部品１３８から離れている挿入コア１５０の端部１５０ｂにて露出している。接続部品１３８は、挿入コア１５０の端部１５０ａにスリーブがつけられている。光ケーブル１１０の内側のアラミド糸は、スナップリング１２６を用いて接続部品１３８に固定される。末端フェルール１２０は、既に作成されて、最後に光ケーブルにスリーブ付することができる、または一体射出方法の成型品とすることができる。
【００３６】
接続部品１３８は、対向して配置された２つの端部１３８ａおよび１３８ｂを含む。接続部品１３８の端部１３８ａは、挿入コア１５０の端部１５０ｂにねじ連結される。接続部品１３８の他端部１３８ｂは、スナップリング１２６を用いて光ケーブル１１０の外側のアラミド糸に固定される。接続部品１３８の端部１３８ａは、シールのためにＯ形状シールリング１３２および１３６でスリーブがつけられる。接続部品１３８の端部１３８ａは、シャフト肩部１３８ｃを含む。シャフト肩部１３８ｃは、弾性部品１３４に対して当接するよう構成される。
【００３７】
弾性部品１３４は、対向して配置された２つの端部１３４ａおよび１３４ｂを含む。弾性部品１３４の端部１３４ａは、挿入コア１５０に近い接続部品１３８の端部１３８ａに対して当接する。この実施方法においては、弾性部品１３４はバネであり、かつ弾性部品１３４は、接続部品１３８の上にスリーブがつけられている。弾性部品１３４の端部１３４ａは、接続部品１３８のシャフト肩部に対して当接する。
【００３８】
外側スリーブ部材１３０は、対向して配置された２つの端部１３０ａおよび１３０ｂを含む。外側スリーブ部材１３０は、接続部品１３８および挿入コア１５０の上にスリーブがつけられる。外側スリーブ部材１３０の端部１３０ａは、接続部品１３８に摺動接続され、かつ弾性部品１３４の端部１３４ｂに対して当接する。弾性部品１３４は、外側スリーブ部材１３０のために挿入コア１５０に対して弾性力を提供するよう構成され、それによりゆるい接続を防止する。対称なロック点１３０４（１３０４は図４ａおよび図４ｂを参照）が外側スリーブ部材１３０の端部１３０ｂの内壁に配置され、かつロック点１３０４は、円筒状突起である。
【００３９】
この実施方法においては、外側スリーブ部材１３０は、ステップを有する円筒体である。外側スリーブ部材１３０の端部１３０ａは、弾性部品１３４の端部１３４ｂに対して当接するよう構成されたフランジ１３０ｄを内向きに形成する。弾性部品１３４は、フランジ１３０ｄおよびシャフト肩部１３８ｃの間で締め付けられる。２つの対向するロック点１３０４が外側スリーブ部材１３０の端部１３０ｂの内壁に配置され、かつロック点１３０４は、円筒状突起である。もちろん、他の実施方法において複数のロック点１３０４を外側スリーブ部材１３０の周りに配置することができる。
【００４０】
外側スリーブ部材１３０の他端部１３０ｂの外面は、光ファイバーコネクタ１０の接続および切断状態を示す矢印の位置合わせ識別を有する。外側スリーブ部材１３０の外面は、対称な切断面を有し、かつ操作感覚を強化するように平面には垂直の浅い溝がある。
【００４１】
内側スリーブ部材１４０は、挿入コア１５０の軸方向に沿って延在し、接続部品１３８から遠い挿入コア１５０の端部１５０ｂは、内側スリーブ部材１４０内に保持される。この実施形態においては、内側スリーブ部材１４０の一端部は、スナップリングにて固定され、スナップリングは、挿入コア１５０の端部１５０ｂにスリーブがつけられる。内側スリーブ部材１４０は、前方に突出するスリーブを有し、スリーブは、Ｃ形状であり、かつ挿入コア１５０のセラミック挿入コア端面の外に突出し、挿入コアのための保護機能が実現され、光ファイバージョイントの挿入および取外し作業中に他の部品に接触することによる挿入コア端面の汚染を防ぐ、または落下による挿入コアの損傷から保護する。縦方向に見ると、スリーブは、ホーン形状開口部を有し、ホーン形状開口部は、光ファイバージョイント１００が光ファイバーアダプタ２００に挿入される場合に、光ファイバーアダプタ２００の位置決めキー２０１４（図５ａ参照）にはめ込まれるよう構成され、その結果光ファイバージョイント１００は、光ファイバーアダプタ２００に正確に位置合わせされる。
【００４２】
さらにホーン形状開口部の開口角度は、１０度以上、かつ３０度以下である。開口角度は、図６に示すようにスリーブの軸方向およびホーン形状開口部の縁部方向の間に形成された角度であり、特に１０度、１５度、２２．５度、または３０度とすることができる。
【００４３】
外側スリーブ部材１３０の端部１３０ｂは、フェルール１２２を用いて光ケーブル１１０に固定、かつシールされる。
【００４４】
末端フェルール１２０は、フェルール１２２にスリーブがつけられ、かつスナップリング１２６を用いて固定され、それにより光ファイバージョイント１００の引張強度およびシール性能を強化する。末端フェルール１２０は、既に成形されかつ最後に光ケーブルにスリーブがつけられることができる、または一体射出方法のキャストとすることができる。
【００４５】
光ファイバージョイント１００は、ジョイント防塵キャップ１７０を含む。図３ａを参照すると、ジョイント防塵ちり１７０は、ロープ１６０を用いて光ファイバージョイント１００につながれている。空洞を保持するジョイントは、ジョイント防塵キャップ１７０の一端部に配置され、空洞を保持するジョイントは、ジョイント防塵キャップ１７０に沿って軸方向に延在し、かつ空洞を保持するジョイントは、挿入コア１５０および内側スリーブ部材１４０を保持する。ジョイント防塵キャップ１７０は、Ｏ形状シールリング１７２を有する。
【００４６】
図３ａにおいては、少なくとも１つの第１摺動スロット１７０４がジョイント防塵キャップ１７０の外周に配置され、摺動スロット１７０４の数は、ロック点１３０４（ロック点１３０４は図４ａおよび図４ｂを参照）の数に等しい。摺動スロット１７０４は、外側スリーブ部材１３０のロック点１３０４と協働し、摺動スロット１７０４は、渦巻き形であり、摺動スロット１７０４は、ジョイント防塵キャップ１７０の一端部からジョイント防塵キャップ１７０の外周に延在し、かつ摺動スロット１７０４の延伸尾端部は、ロック点１３０４に固定される。この実施方法においては、摺動スロット１７０４の延伸尾端部は、ロック点１３０４の形に適合する弧の形である。ジョイント防塵キャップ１７０の外面は、矢印識別および「０」および「１」の識別を有する。光ファイバージョイント１００がジョイント防塵キャップ１７０に挿入される場合、外側スリーブ部材１３０の矢印識別がジョイント防塵キャップ１７０の矢印識別に位置合わせされる。ジョイント防塵キャップ１７０が「０」の方向に回される場合、光ファイバージョイント１００がロック状態になり、かつジョイント防塵キャップ１７０が「１」の方向に回される場合、光ファイバージョイント１００は、解放状態になる。二重ロック方法が用いられ、それにより光ファイバーコネクタの長期の、確かな光学性能を確実にする。
【００４７】
ジョイント防塵キャップ１７０が光ファイバージョイント１００に固定される場合、挿入コア１５０および内側スリーブ部材１４０は、保持空洞内に挿入される。光ファイバージョイント１００のロック点１３０４は、ジョイント防塵キャップ１７０の摺動スロット１７０４内に滑り入り、かつジョイント防塵キャップ１７０は、「１」の方向から「０」の方向に回され、その結果ロック点１３０４は、摺動スロット１７０４の尾端部が摺動し、それによりロックが実行される。前述の操作により、ジョイント防塵キャップ１７０が光ファイバージョイント１００に固定される。
【００４８】
図４ａおよび図４ｂは、光ファイバージョイント１００の前面図であり、光ファイバージョイント１００の内部留め具アンロック構造が示される。図４ａは、挿入コア１５０がスナップ−ロック羽根を有さない場合の内部アンロック構造を示す。図４ａの左側（ａ）は、光ファイバージョイント１００の内部留め具の初期状態を示し、および図４ａの右側（ｂ）は、光ファイバージョイント１００の内部留め具のロック状態を示す。図４ｂは、挿入コア１５０がスナップ−ロック羽根を有する場合の内部アンロック構造を示す。図４ｂの左側（ａ）は、光ファイバージョイント１００の内部留め具の初期状態を示し、および図４ｂの右側（ｂ）は、光ファイバージョイント１００の内部留め具のロック状態を示す。
【００４９】
図４ｂに示すように、外側スリーブ部材１３０の内面は、傾斜ボス１３０２を有する。光ファイバージョイント１００および光ファイバーアダプタ２００が接続かつロック状態にある場合、傾斜ボス１３０２は、挿入コア１５０のスナップ−ロック羽根１５０２をバイパスし、この場合、スナップ−ロック羽根１５０２は、ソケット２０１（図５ａ参照）のスナップに固定され、それにより接続およびロックが実施される。
【００５０】
この実施形態においては、スナップ−ロック羽根がない挿入コア１５０にもまた適合することができ、この場合、外側スリーブ部材１３０の内面は、対応する傾斜ボスを有さないことに留意すべきである。
【００５１】
さらに、外側スリーブ部材１３０の内面の２つの対称なロック点１３０４がソケット２０１（図５ａ参照）の外面の２つの対称な第２摺動スロット２０１５固定され、それにより二重ロックおよび接続が実現する。光ファイバージョイント１００を光ファイバーアダプタ２００から取り外す必要がある場合、外側スリーブ部材１３０は、図４ｂの左側（ａ）に示された状態から図４ｂの右側（ｂ）に示された状態に変化するように回される。この場合、挿入コア１５０のスナップ−ロック羽根１５０２は、外側スリーブ部材１３０の傾斜ボス１３０２によって圧縮され、それにより締め付けアンロックが実現する。その間、外側スリーブ部材１３０の内面の２つの対称なロック点１３０４がまた回転してソケット２０１の外面の２つの対称な第２摺動スロット２０１５から解放され、この場合、光ファイバージョイント１００は光ファイバーアダプタ２００から取り外すことができる。
【００５２】
さらにこの実施形態においては、外側スリーブ部材１３０は、コネクタのロックおよびアンロック工程を実施するために、４５度回転させることができる。外側スリーブ部材１３０の回転角度を制限するために、制限柱部１５０４が挿入コア１５０に配置され、左および右制限ステージ１３０６が外側スリーブ部材１３０に設計される。コネクタが図４ｂの左側（ａ）に示すような接続かつロック状態にある場合、制限柱部１５０４が左制限ステージ１３０６によって制限されて、さらに回転させることができず、およびコネクタが図４ｂの右側（ｂ）に示すように解放状態にある場合は、制限柱部１５０４は、右制限ステージ１３０６によって制限されてさらに回転させることができない。
【００５３】
図５ａは、光ファイバーアダプタ２００の概略構造図である。図５ｂは、光ファイバーアダプタ２００の分解図である。図５ａおよび図５ｂに示すように、ソケット２０１は、光ファイバーアダプタ２００の一端部に配置される。
【００５４】
さらに、ソケット２０２は、光ファイバーアダプタ２００の他端部にさらに配置することができる。２つのソケット２０１および２０２、およびアダプタの中心に配置されたセラミックフェルール２１２は、超音波を用いて共に溶着されることができる。
【００５５】
ソケット２０１は、空洞２０１１およびスロット２０１２を有し、空洞２０１１は、ソケット２０１の中部に位置し、かつ空洞２０１１およびスロット２０１２は、ソケット２０１に沿って軸方向に延在する。スロット２０１２は、空洞２０１１の周りを囲む。空洞２０１１は、挿入コア１５０と協働し、スロット２０１２は、内側スリーブ部材１４０と協働し、かつ位置決めキー２０１４は、スロット２０１２内に配置される。位置決めキー２０１４は、ソケット２０１に沿って軸方向に延在するストリップ状突起であり、スロット２０１２は、Ｃ形状断面を形成し、かつ光ファイバージョイントにおいてＣ形状開口部を有するスリーブとシームレスに接続する。このように、光ファイバージョイントのブラインド挿入を実施することができ、操作がより簡単になり、それにより光ファイバーコネクタのプラグ・アンド・プレイが実現する。
【００５６】
ソケット２０１の軸方向と逆から見ると、Ｃ形状スロット２０１２は、開口部を有する円または楕円である。光ファイバージョイント１００が光ファイバーアダプタ２００に挿入される場合、Ｃ形状の内側スリーブ部材は、位置決めキー２０１４と協働し、およびスロット２０１２内に挿入される。この実施形態において、ソケット２０１および２０２は、円筒状である。空洞２１０は、正方形の空洞または円形の空洞である。スロット２０１２は、Ｃ形状スロットである。
【００５７】
Ｃ形状断面を有するスロット２０１２は、光ファイバーアダプタ２００に適合する光ファイバージョイント１００のスリーブ１８０のＣ形状尾端部を保持するよう構成される。位置決めキー２０１４は、光ファイバーアダプタ２００に適合する光ファイバージョイント１００のスリーブの開口部に接続するよう構成される。位置決めキー２０１４の幅は、光ファイバージョイント１００のスリーブ１８０の開口部の幅に等しい。
【００５８】
図５ａに示すように、第２摺動スロット２０１５がソケット２０１の周りに配置され、第２摺動スロット２０１５は、渦巻き形であり、かつ第２摺動スロット２０１５は、ソケット２０１の一端部からソケットに沿って円周方向に延在し、かつ延在する第２摺動スロット２０１５の端部の尾端部は、ロック点１３０４に固定される。この実施形態において、第２摺動スロット２０１５は、ジョイント防塵キャップ１７０の摺動スロット１７０４（図３ａ参照）と同じ形である。
【００５９】
図５ｂに示すように、光ファイバーアダプタ２００は、Ｏ形状シールリング２２２、ロックナット２２０、Ｏ形状シールリング２４０、ソケット本体２１０、およびセラミックフェルール２１２を含む。Ｏ形状シールリング２４０、ロックナット２２０、およびＯ形状シールリング２４０は、順次ソケット本体２１０にスリーブがつけられ、かつセラミックフェルール２１２は、ソケット本体２１０の他端部に挿入され、Ｏ形状シールリング２２２を用いて固定される。
【００６０】
光ファイバーアダプタ２００は、アダプタ防塵キャップ２３０を含み、アダプタ防塵キャップ２３０の一端部は、光ファイバーアダプタ２００を保持するためのアダプタ保持空洞を有する。保持空洞は、光ファイバーアダプタ２００が防塵キャップ２３０に挿入される場合に、ソケット２０１を保持するよう構成される。
【００６１】
光ファイバージョイント１００が光ファイバーアダプタ２００に挿入される場合、内側スリーブ部材１４０のスリーブのホーン形状開口部が摺動スロットの位置決めキー２０１４を目標として挿入され、内側スリーブ部材１４０は、摺動スロット２０１２内に挿入され、その結果挿入コア１５０が空洞２０１１内に挿入され、光ファイバージョイントのロック点１３０４が光ファイバーアダプタの第２摺動スロット２０１５に滑り入り、かつロック点１３０４が第２摺動スロット２０１５の尾端部まで摺動するように光ファイバーソケット２０１が回転し、それによりロックが実現する。
【００６２】
前述の技術的な解決策に基づくと、本発明のこの実施形態により提供された光ファイバーコネクタは、光ファイバージョイントのＣ形状開口部を有するスリーブを用いることにより、光ファイバーアダプタのＣ形状スロットにシームレスに接続される。このように、光ファイバージョイントのブラインド挿入を実施することができ、操作がより簡単になり、それにより光ファイバーコネクタのプラグ・アンド・プレイが実現する。本発明の実施形態によって提供された光ファイバーコネクタは、さらに最高の防水グレードを達成する。
【００６３】
前述の説明は、本発明の単なる例示的な特定の実施形態であり、本発明の保護範囲を制限することを意図していない。当業者によって容易にわかる本発明において開示される技術的範囲内の任意の変化形または置換は、本発明の保護範囲内に入るものとする。したがって、本発明の保護範囲は、特許請求の範囲の保護範囲に従うものとする。
【符号の説明】
【００６４】
１００  光ファイバージョイント
１１０  光ケーブル
１３０  外側スリーブ部材
１３２，１３６，１７２  Ｏ形状シールリング
１３４  弾性部品
１３８  接続部品
１４０  内側スリーブ部材
１５０  挿入コア
１６０  ロープ
１７０  ジョイント防塵キャップ
１８０  スリーブ
２００  光ファイバーアダプタ
２１０  ソケット本体
２２２，２４０  Ｏ形状シールリング
２３０  防塵キャップ
３００  光ファイバージョイント
１３０２  傾斜ボス
１３０４  突起
１３０６  制限ステージ
１５０４  制限柱部
２０１１  空洞
２０１２  スロット
２０１４  キー
２０１５  摺動スロット
【図１】
0006337048.tif 000002
【図２ａ】
0006337048.tif 000003
【図２ｂ】
0006337048.tif 000004
【図３ａ】
0006337048.tif 000005
【図３ｂ】
0006337048.tif 000006
【図３ｃ】
0006337048.tif 000007
【図４ａ】
0006337048.tif 000008
【図４ｂ】
0006337048.tif 000009
【図５ａ】
0006337048.tif 000010
【図５ｂ】
0006337048.tif 000011
【図６】
0006337048.tif 000012